(57)【要約】【課題】一体成形の床パンと同様に成形可能で分割可能でありながらも、分割された床パンの連結部における防水性を向上し得る浴室床パン並びにこれを用いた分割床パンの製造方法及びこの分割床パンの防水構造を提供する。【解決手段】浴槽側の床部１０と洗場側の床部２０とを一体成形した浴室床パン１であって、前記浴槽側の床部と前記洗場側の床部との境界部４には、この境界部の全長に亘って延び、かつ両側部位よりも厚さ寸法を大きくするように上下方向に沿って突出する突部６が設けられている。【選択図】図１
2015169034.tif 000002
【特許請求の範囲】
【請求項１】
浴槽側の床部と洗場側の床部とを一体成形した浴室床パンであって、
前記浴槽側の床部と前記洗場側の床部との境界部には、この境界部の全長に亘って延び、かつ両側部位よりも厚さ寸法を大きくするように上下方向に沿って突出する突部が設けられていることを特徴とする浴室床パン。
【請求項２】
請求項１において、
前記突部は、前記境界部の上面側及び下面側のうちの一方側のみに突出するように設けられ、他方側には、前記突部を浴槽側と洗場側とに分断するように当該浴室床パンを切断する際の目印が設けられていることを特徴とする浴室床パン。
【請求項３】
請求項１または２に記載の浴室床パンを、前記突部を浴槽側と洗場側とに分断するように切断して浴槽床パンと洗場床パンとに分割することを特徴とする分割床パンの製造方法。
【請求項４】
請求項３に記載の分割床パンの製造方法によって分割された浴槽床パンと洗場床パンとの連結部における防水構造であって、
前記浴槽床パン及び前記洗場床パンの互いに対向する連結側面間に防水パッキンを介在させ、この防水パッキン上にシーリング材を充填した構造とされていることを特徴とする分割床パンの防水構造。
【発明の詳細な説明】
【技術分野】
【０００１】
本発明は、浴室の床部を構成する浴室床パン、これを用いた分割床パンの製造方法及びこの分割床パンの防水構造に関する。
【背景技術】
【０００２】
従来より、浴室の床部を構成し、浴槽側の床部と洗場側の床部とを有した浴室床パンが知られている。このような浴室床パンは、防水性や成形性等の観点からは、浴槽側の床部と洗場側の床部とを一体成形した構造とすることが好ましいが、施工現場等によっては、搬入等がし難くなるという問題があった。
例えば、下記特許文献１では、浴槽載置場と洗場とを区画する隔壁の上面に、上方に突出する突条体を設けた構成とされた防水パンが提案されている。また、この特許文献１には、切断して２分割された突条体の切断口を突き合わせて形成された下向き開口の凹溝にパッキン材を充填し、突条体の突き合わせ部位にシリコーンコーキング材を施した構造の開示がある。
【先行技術文献】
【特許文献】
【０００３】
【特許文献１】特開平１１−１７２７３３号公報
【発明の概要】
【発明が解決しようとする課題】
【０００４】
しかしながら、上記特許文献１に記載された防水パンでは、突条体の上面を構成する部位がその両側の部位と同厚さで比較的に薄く、シリコーンコーキング材を充填する部位の深さが浅くなり、更なる改善が望まれる。
【０００５】
本発明は、上記実情に鑑みてなされたものであり、一体成形の床パンと同様に成形可能で分割可能でありながらも、分割された床パンの連結部における防水性を向上し得る浴室床パン並びにこれを用いた分割床パンの製造方法及びこの分割床パンの防水構造を提供することを目的としている。
【課題を解決するための手段】
【０００６】
上記目的を達成するために、本発明に係る浴室床パンは、浴槽側の床部と洗場側の床部とを一体成形した浴室床パンであって、前記浴槽側の床部と前記洗場側の床部との境界部には、この境界部の全長に亘って延び、かつ両側部位よりも厚さ寸法を大きくするように上下方向に沿って突出する突部が設けられていることを特徴とする。
本発明においては、前記突部を、前記境界部の上面側及び下面側のうちの一方側のみに突出するように設け、他方側に、前記突部を浴槽側と洗場側とに分断するように当該浴室床パンを切断する際の目印を設けてもよい。
【０００７】
また、本発明に係る分割床パンの製造方法は、本発明に係る浴室床パンを、前記突部を浴槽側と洗場側とに分断するように切断して浴槽床パンと洗場床パンとに分割することを特徴とする。
また、本発明に係る分割床パンの防水構造は、本発明に係る分割床パンの製造方法によって分割された浴槽床パンと洗場床パンとの連結部における防水構造であって、前記浴槽床パン及び前記洗場床パンの互いに対向する連結側面間に防水パッキンを介在させ、この防水パッキン上にシーリング材を充填した構造とされていることを特徴とする。
【発明の効果】
【０００８】
本発明に係る浴室床パンは、上述のような構成としたことで、一体成形の床パンと同様に成形可能で分割可能でありながらも、分割された床パンの連結部における防水性を向上させることができる。
【図面の簡単な説明】
【０００９】
【図１】（ａ）は、本発明の一実施形態に係る浴室床パンの一例及びこれを用いた分割床パンの製造方法の工程の一例を模式的に示し、図２に対応させた一部破断概略縦断面図、（ｂ）は、同製造方法によって分割された分割床パンの一例を模式的に示し、（ａ）に対応させた一部破断概略縦断面図である。
【図２】同分割床パンを用いた本発明の一実施形態に係る分割床パンの防水構造の一例を模式的に示し、図４におけるＸ−Ｘ線矢視に対応させた一部破断概略縦断面図である。
【図３】同分割床パンを模式的に示す概略斜視図である。
【図４】同分割床パン及び同分割床パンの防水構造を模式的に示す概略平面図である。
【発明を実施するための形態】
【００１０】
以下に本発明の実施の形態について、図面に基づいて説明する。
図１〜図４は、本実施形態に係る浴室床パン、これを用いた分割床パンの製造方法及びこの分割床パンの防水構造の一例を模式的に示す図である。
なお、一部の図では、他図に付している詳細な符号の一部を省略している。
また、以下の実施形態では、本実施形態に係る浴室床パン（これを分割した分割床パン）を設置した状態を基準として、上下方向等の方向を説明する。
【００１１】
本実施形態に係る浴室床パン１は、図１（ａ）及び図４に示すように、浴槽側の床部１０と洗場側の床部２０とを一体成形した構成とされている。また、浴室床パン１は、浴槽側の床部１０と洗場側の床部２０との境界部４に、この境界部４の全長に亘って延び、かつ両側部位よりも厚さ寸法を大きくするように上下方向に沿って突出する突部６を設けた構成とされている。この浴室床パン１は、分割することなく一体化された状態及び後記するように浴槽床パン１０Ａと洗場床パン２０Ａとに分割された分割床パン１Ａの状態のいずれの状態でも設置可能とされている。
この浴室床パン１の浴槽側の床部１０には、図示は省略しているが、浴槽が設置される。また、浴室床パン１は、当該浴室床パン１の四周端部に沿って立設される壁パネルや天井パネルを備えた、いわゆるユニットバス（システムバス）等の浴室ユニットを構成し、戸建住宅や集合住宅等の建物内の浴室部分に設置される。
【００１２】
この浴室床パン１は、図４に示すように、平面視して略方形状とされている。本実施形態では、平面視して、浴槽側の床部１０と洗場側の床部２０との並設方向を長辺とした略長方形状とされた浴室床パン１を例示している。この浴室床パン１の平面視における外周寸法（浴槽側の床部１０と洗場側の床部２０との並設方向に沿う方向の寸法（幅寸法）及びこれに直交する方向の寸法（奥行寸法））は、建物内の浴室部分の躯体スペースに応じた寸法とされている。この浴室床パン１の外周寸法は、数種類にモジュール化（規格化）された浴室ユニットの寸法に応じた寸法としてもよい。また、平面視して略正方形状とされた浴室床パン１としてもよい。
【００１３】
浴槽側の床部１０及び洗場側の床部２０は、平面視して略方形状とされており、互いに奥行寸法（上記並設方向に直交する方向の寸法）が略同寸法とされている。また、図例では、浴槽側の床部１０の幅寸法（上記並設方向に沿う方向の寸法）を、洗場側の床部２０の幅寸法よりも小さくした例を示しているが、これらの幅寸法を互いに略同寸法としてもよい。
また、これら浴槽側の床部１０及び洗場側の床部２０は、それぞれの底部１１，２１の四周端部に、四周端部から上方に向けて立ち上がるように一体的に形成された立上部１２，１３，２２，２３を設けた構成とされている（図３も参照）。
これら浴槽側の床部１０及び洗場側の床部２０の底部１１，２１は、浴槽が設置される床部となる浴槽側の床部１０の底部１１が、洗場側の床部２０の底部２１よりも下方側に位置する構成とされている（図１（ａ）も参照）。また、これら浴槽側の床部１０及び洗場側の床部２０の立上部１２，１３，２２，２３は、それぞれの上端が略同高さに位置される。つまり、洗場側の床部２０よりも浴槽側の床部１０の深さ（高さ）が大きく形成されている。
【００１４】
また、浴室床パン１の四周端部に位置する立上部１２，２２は、浴室ユニットの四周の壁パネルが設置される壁立上部１２，２２を構成する。これら壁立上部１２，２２は、浴室床パン１の四周端部に沿って略一連状となるように形成されている。
また、これら壁立上部１２，２２の上下方向途中部位には、上方に向き、壁パネルが載置される壁載置部１２ａ，２２ａが設けられている。これら壁立上部１２，２２の壁載置部１２ａ，２２ａは、それぞれの壁載置部１２ａ，２２ａの上面（壁載置部上面）が浴室床パン１の四周端部に沿って略一連状に略同高さに位置するように形成されている。
なお、図３及び図４に示すように、洗場側の床部２０の建具の設置箇所となる部位には、壁立上部２２が設けられておらず、建具の設置部２２ｂとされている。この建具の設置部２２ｂは、建具の設置箇所に応じた位置に設けられる。
【００１５】
また、これら床部１０，２０の互いの境界側に位置する立上部１３，２３は、境界部を構成する堰部３を構成する。
この堰部３は、図１（ａ）に示すように、各床部１０，２０の境界側の立上部１３，２３と、これらの上端を接続するように略水平に形成され境界部を構成する天部４と、を一体的に形成した構成とされている。
また、この堰部３は、これら立上部１３，２３及び天部４によってその裏面側に下方に向けて開口する凹溝（凹所）を設けた形状とされている。また、堰部３は、浴槽側の床部１０と洗場側の床部２０との境界部に沿うように、浴室床パン１の奥行方向の略全長に亘って延びるように設けられている。なお、この堰部３の天部４は、その長手方向（床パン奥行方向）両端部が長手方向外方側に向かうに従い下方側に傾斜し、上記した壁載置部１２ａ，２２ａに連なり、その両端が壁立上部１２，２２の上側部位に連なるように形成されている（図３参照）。
【００１６】
また、本実施形態では、各床部１０，２０の境界側の立上部１３，２３の互いに対向するように形成された外側面（裏面）は、天部４に向かうに従い互いに近接する側に傾斜する傾斜面とされている。つまり、上記凹溝の両側壁を構成する立上部１３，２３の外側面が下方に向かうに従い拡開するような傾斜面とされている。
また、本実施形態では、これら立上部１３，２３自体を傾斜状に形成し、それぞれの外側面を上記のような傾斜面としている。つまり、これら立上部１３，２３の内側面（表面）側も同様の傾斜面とされている。
【００１７】
また、この堰部３の裏面には、堰部３の長手方向に厚さ方向を沿わせた複数の縦リブ５が堰部３の長手方向に沿って間隔を空けて設けられている。これら縦リブ５は、堰部３の天部４の下面及び立上部１３，２３の外側面に沿うように一連状に形成されている。また、これら縦リブ５は、堰部３の天部４の下面から下方に向けて突出するように、また、立上部１３，２３の互いに対向するように形成された外側面から対向方向に向けて突出するように形成されている。つまり、これら複数の縦リブ５は、堰部３の裏面側の凹溝を横断するようにそれぞれ設けられている。
また、図例では、これら縦リブ５を、各床部１０，２０の底部１１，２１の下面（裏面）側にも至るように一連状に設けた例を示している。また、この浴室床パン１の裏面には、これら縦リブ５を含み、幅方向及び奥行方向に間隔を空けて複数のリブが略格子状に設けられている（図３参照）。これらリブは、各床部１０，２０の裏面から下方に向けて突出するように設けられている。
【００１８】
また、本実施形態では、この堰部３の天部４の上面側及び下面側のうちの一方側のみに突出するように突部６を設け、他方側に、突部６を浴槽側と洗場側とに分断するように当該浴室床パン１を切断する際の目印４ａを設けた構成としている。本実施形態では、突部６を、天部４の下面側のみに設け、目印４ａを、天部４の上面側に設けた構成としている。
目印４ａは、突部６の幅方向（上記並設方向に沿う方向）略中央に位置するように設けられている。本実施形態では、この目印４ａを、堰部３の長手方向に沿ってライン状に延びる目印溝４ａとしている。図例では、溝長手方向に見て略Ｖ字溝形状とされた目印溝４ａを例示している。この目印溝４ａは、堰部３（浴室床パン１の奥行方向）の全長に亘って設けるようにしてもよい。なお、目印４ａとしては、目印溝４ａに限られず、マーカー等によってライン状にまたは点在状に設けられたものとしてもよく、その他、種々の構成とされたものとしてもよい。
【００１９】
突部６は、当該突部６が設けられた堰部３の天部４の幅方向両側部位よりも厚さ寸法を大きくするように、天部４に一体的に形成されており、天部４の下面から下方に向けて突出するように設けられている。また、この突部６は、堰部３の天部４の長手方向に延びるようにリブ状に設けられている。本実施形態では、上記のように、複数の縦リブ５を堰部３の裏面側に設けた構成としており、突部６の一部がこれら縦リブ５によって構成されるように、これら縦リブ５を貫通するように突部６を設けた構成としている。換言すれば、突部６を横断するように、複数の縦リブ５を設けた構成としている。
この突部６の長手方向両端部は、浴室床パン１の奥行方向両側の壁立上部１２，２２に連なるように形成されている。
【００２０】
また、突部６の天部４の厚さ方向（上下方向）に沿う突出寸法は、分割された床パン１０Ａ，２０Ａ同士の連結側面１７，２７間に種々の防水部材を効果的に設ける観点等から適宜、設定するようにしてもよい。例えば、この突部６の天部４の下面からの突出寸法を、天部４の厚さ寸法以上としてもよい。図例では、この突部６の突出寸法を、天部４の厚さ寸法の３倍程度とし、縦リブ５の突出寸法よりも小さい寸法とした例を示している。
また、突部６の幅寸法（上記並設方向に沿う方向の寸法）は、浴槽側と洗場側とに分断された状態における強度や、当該浴室床パン１を分割する際の丸鋸等の切断機２の刃幅等に応じて適宜、設定するようにしてもよい。例えば、突部６の幅寸法を、当該突部６が分断されて形成された浴槽側突部１６及び洗場側突部２６の幅寸法（上記並設方向に沿う方向の寸法）が、天部４の厚さ寸法と概ね同寸法となるような寸法としてもよい。図例では、突部６の幅寸法を、切断機２の刃幅の３倍程度の寸法とした例を示している。
【００２１】
なお、浴室床パン１には、排水トラップ等と連通される排水口や、アジャスターボルト（支持脚）が固定される固定部等が設けられている。
また、浴室床パン１は、合成樹脂系材料や金属系材料等から形成されたものとしてもよい。また、合成樹脂系材料としては、ガラス繊維や炭素繊維、鉱物繊維等の強化繊維を含有した繊維強化合成樹脂系材料（いわゆるＦＲＰ）としてもよい。
【００２２】
本実施形態に係る分割床パンの製造方法は、上記構成とされた本実施形態に係る浴室床パン１を、突部６を浴槽側と洗場側とに分断するように切断して浴槽床パン１０Ａと洗場床パン２０Ａとに分割する構成とされている。本実施形態では、突部６を、幅方向に略二等分するように、浴槽側と洗場側とに分断するように切断して浴槽床パン１０Ａと洗場床パン２０Ａとに分割する構成としている。また、本実施形態では、上記のように、目印としての目印溝４ａを、天部４の反突部側となる上面側に設けているので、この目印溝４ａに沿って切断するようにしている。
【００２３】
また、このように天部４及び突部６を切断する際に、上記した縦リブ５も切断するようにしている。本実施形態では、図１に示すように、天部４、縦リブ５及び突部６を、浴槽側と洗場側とに分断するように、略垂直状（堰部３の天部４の厚さ方向に沿う方向）に切断する構成としている。
この浴室床パン１の切断は、図１（ａ）に示すように、丸鋸等の適宜の切断機２によって切断するようにしてもよい。また、この浴室床パン１の切断は、施工現場への搬送前の工場内等においてなされるものとしてもよく、または、施工現場等においてなされるものとしてもよい。
なお、図例では、堰部３の天部４の幅方向略中央よりも洗場側に寄った部位に沿って切断したような図となっているが、堰部３の幅が狭くなっている排水口周囲の部位においては、堰部３の天部４の幅方向略中央において切断されている（図４参照）。
【００２４】
このように分割された浴槽床パン１０Ａ及び洗場床パン２０Ａの各立上部１３，２３の上端部には、堰部３の天部４が切断されて連結側（切断側）の端部となる連結側端部１４，２４が形成される。これら連結側端部１４，２４は、各立上部１３，２３の上端部から互いに対向する方向に突出するように設けられており、互いに略同厚さ寸法とされている。
また、このように分割された浴槽床パン１０Ａ及び洗場床パン２０Ａの各立上部１３，２３には、縦リブ５が切断されて、互いに対向する方向に向けて突出し、かつ上下に延びる複数の凸片部１５，２５が形成される。また、これら凸片部１５，２５は、浴槽床パン１０Ａ及び洗場床パン２０Ａの各連結側端部１４，２４の下面及び各立上部１３，２３の外側面から一連状に突出する構成とされている。また、これら凸片部１５，２５は、それぞれの連結側端部１４，２４の先端面（対向する端面）からは対向方向に突出しないような構成とされている。
【００２５】
また、このように分割された浴槽床パン１０Ａ及び洗場床パン２０Ａの連結側端部１４，２４の互いに向き合う端部（先端部）には、突部６が切断されて、下方に向けて垂れ下がるように浴槽側突部１６及び洗場側突部２６が形成される。これら浴槽側突部１６及び洗場側突部２６は、それぞれの連結側端部１４，２４の先端部の下面から一連状に下方に向けて突出する構成とされている。また、これら浴槽側突部１６及び洗場側突部２６は、それぞれの連結側端部１４，２４の先端面からは対向方向に突出しないような構成とされている。
つまり、これら浴槽側突部１６及び洗場側突部２６の互いに対向する側面と、それぞれの凸片部１５，２５の先端面と、それぞれの連結側端部１４，２４の先端面とは、略同一平面状とされ、また、互いに略平行状で、それぞれが水平面に対して略垂直面とされている。
また、これら浴槽側突部１６及び洗場側突部２６の互いに対向する側面及び連結側端部１４，２４の先端面が、浴槽床パン１０Ａ及び洗場床パン２０Ａの互いに対向する連結側面１７，２７となる。なお、凸片部１５，２５の先端面の一部も浴槽床パン１０Ａ及び洗場床パン２０Ａの互いに対向する連結側面１７，２７として把握するようにしてもよい。
【００２６】
本実施形態に係る分割床パンの防水構造は、上記のように分割された浴槽床パン１０Ａと洗場床パン２０Ａとの連結部における防水構造である。また、この分割床パンの防水構造は、図２に示すように、浴槽床パン１０Ａ及び洗場床パン２０Ａの互いに対向する連結側面１７，２７間に防水パッキン７を介在させ、この防水パッキン７上にシーリング材８を充填した構造とされている。
防水パッキン７は、天然ゴムや合成ゴム、独立気泡型の発泡系材料等から形成され、圧縮変形可能とされたものとしてもよい。また、このような基材の裏面に粘着剤が塗布されたものとしてもよい。また、粘着剤を保護する剥離紙（剥離フィルム）等が添着されたテープ状のものとしてもよい。
この防水パッキン７は、浴槽床パン１０Ａと洗場床パン２０Ａとの連結部の全長に亘って設けるようにしてもよい。
【００２７】
また、この防水パッキン７の上下寸法は、防水性等の観点から適宜の寸法としてもよい。図例では、各床パン１０Ａ，２０Ａの連結側端部１４，２４の上面から各突部１６，２６の下面までの上下寸法の１／２程度の寸法とした例を示している。また、この防水パッキン７の厚さ寸法（上記並設方向に沿う方向の寸法）は、防水性等の観点から適宜の寸法としてもよい。この防水パッキン７の厚さ寸法は、後記するように床パン１０Ａ，２０Ａ同士が連結された状態で形成される、連結側面１７，２７間の隙間よりも大きい寸法としてもよい。つまりは、この防水パッキン７の厚さ寸法を、床パン１０Ａ，２０Ａ同士が連結された状態で、厚さ方向への圧縮変形を伴い当該防水パッキン７が連結側面１７，２７に弾性的に接触するような寸法としてもよい。
なお、この防水パッキン７は、上記のように浴室床パン１を分割した後で、床パン１０Ａ，２０Ａ同士を連結する前に、浴槽床パン１０Ａの連結側面１７及び洗場床パン２０Ａの連結側面２７のうちの一方に沿って固定（貼着）しておくようにしてもよい。また、この防水パッキン７の固定（貼着）は、施工現場への搬送前の工場内等においてなされるものとしてもよく、または、施工現場等においてなされるものとしてもよい。
【００２８】
シーリング材８は、ペースト状とされたシリコーン系シーラント等の樹脂系シーラントとしてもよい。
このシーリング材８は、後記するように床パン１０Ａ，２０Ａ同士が連結された状態で形成される、連結側面１７，２７間の隙間の略全長に亘って充填するようにしてもよい。また、シーリング材８は、浴槽床パン１０Ａ及び洗場床パン２０Ａの各連結側端部１４，２４の上面から上方に突出しないように充填するようにしてもよい。例えば、シーリング材８を、その上面が各連結側端部１４，２４の上面と略同一平面状または各連結側端部１４，２４の上面よりも僅かに下側位置となるように充填するようにしてもよい。図例では、上記のように設けられた防水パッキン７の上面から各連結側端部１４，２４の上面と略同一平面状となるようにシーリング材８を充填した例を示している。つまり、防水パッキン７は、このシーリング材８のバックアップ材として機能する構成とされている。
【００２９】
また、本実施形態では、浴槽床パン１０Ａと洗場床パン２０Ａとを、連結部材９を介して互いに連結する構造としている。図例では、図２に示すように、洗場床パン２０Ａに連結部材９の取付部を固定し、この連結部材９の固定部に対して、浴槽床パン１０Ａの連結側部としての立上部１３を止具１９によって締結し、浴槽床パン１０Ａと洗場床パン２０Ａとを連結する構造としている。
【００３０】
また、連結部材９は、浴槽床パン１０Ａと洗場床パン２０Ａとを連結した状態で、各床パン１０Ａ，２０Ａの連結側面１７，２７間にシーリング材充填用の所定の隙間が形成されるように構成されたものとしてもよい。例えば、連結部材９及び各床パン１０Ａ，２０Ａに、床パン１０Ａ，２０Ａ同士が連結された状態でこれら床パン１０Ａ，２０Ａ同士の連結側端部１４，２４間に所定の隙間が形成されるように、各床パン１０Ａ，２０Ａの幅方向に略沿う方向とされた止具１９の締結方向と略同方向に沿って互いに当接する当接部をそれぞれに設けた構成としてもよい。このような連結部材９としては、適宜の形状とされた金具等としてもよく、どのようなものとしてもよい。
【００３１】
図例では、連結部材９の取付部を、洗場床パン２０Ａの立上部２３、連結側端部２４及び洗場側突部２６によって形成された下向き開口の凹所に嵌め込むように取り付けた構成としている。また、この取付部を、連結側端部２４の下面及び洗場側突部２６の反連結側面に沿うような略Ｌ字状とした例を示している。この取付部は、洗場床パン２０Ａに対して、嵌め込みや、ねじ等の止具、接着剤等によって固定するようにしてもよい。また、この取付部の下端部に、浴槽床パン１０Ａに向けて延びるように、かつ各突部２６，１６の下面に沿うように連結片部を連なるように設け、この連結片部の浴槽側端部に、固定部を設けた構成としている。また、この固定部を、浴槽床パン１０Ａの立上部１３の厚さ方向に厚さ方向を沿わせた板状とし、立上部１３の外側面に沿わせるように設けた例を示している。
【００３２】
また、連結部材９の固定部に、止具１９の止着部９ａを設けている。図例では、止着部９ａを、固定部を厚さ方向に貫通する止具孔９ａとした例を示している。この止具孔９ａは、浴槽床パン１０Ａの立上部１３に厚さ方向に貫通して設けられた止具１９の挿通孔１３ａに一致するように設けられている。このような構成により、浴槽床パン１０Ａの立上部１３の内側面側から挿通孔１３ａを介して連結部材９の止具孔９ａに止着した止具１９によって浴槽床パン１０Ａが連結部材９に固定される。
また、浴槽床パン１０Ａと洗場床パン２０Ａとの連結部（継目部）に沿って複数箇所に止具１９が締結され、これら浴槽床パン１０Ａと洗場床パン２０Ａとが連結される構造とされている（図４参照）。
【００３３】
なお、連結部材９は、浴槽床パン１０Ａと洗場床パン２０Ａとの継目部に沿うように全長に亘って配される構成とされたものとしてもよいが、継目部に沿って間隔を空けて複数箇所に設けられる構成とされたものとしてもよい。
また、連結部材９としては、上記構成とされたものに限られない。例えば、洗場床パン２０Ａに取り付けられる取付部を、厚さ方向を、凸片部２５の厚さ方向に沿わせた板状とし、この凸片部２５にねじ等の止具によって固定されるものとしてもよい。その他、種々の構成とされた連結部材９の採用が可能である。
また、この連結部材９の洗場床パン２０Ａへの固定は、浴室床パン１を分割する前に固定するようにしてもよく、または、分割した後に固定するようにしてもよい。また、この連結部材９の洗場床パン２０Ａへの固定は、施工現場への搬送前の工場内等においてなされるものとしてもよく、または、施工現場等においてなされるものとしてもよい。
【００３４】
上記構成とされた分割床パン１Ａは、以下のように施工するようにしてもよい。
まず、連結部材９が固定された洗場床パン２０Ａを設置する。この際、洗場床パン２０Ａのアジャスターボルトを調整し、洗場床パン２０Ａの上下のレベル調整を行うようにしてもよい。
次いで、浴槽床パン１０Ａを設置する。この際、各床パン１０Ａ，２０Ａの奥行方向両側面（壁立上部１２，２２の外側面）が略同一平面状となるように、適宜、位置調整するようにしてもよい。また、この際、各床パン１０Ａ，２０Ａの連結側端部１４，２４の上面が略同一平面状となるように、適宜、位置調整するようにしてもよい。例えば、浴槽床パン１０Ａのアジャスターボルトを調整し、浴槽床パン１０Ａの上下のレベル調整を行うようにしてもよい。
【００３５】
そして、浴槽床パン１０Ａの立上部１３を、上記のように、止具１９によって連結部材９に締結して固定する。上記構成とされた連結部材９を用いた場合には、この止具１９の締め付けに伴い、各床パン１０Ａ，２０Ａの連結側面１７，２７間にシーリング材充填用の所定の隙間が形成される。また、これにより、洗場床パン２０Ａに対する浴槽床パン１０Ａの幅方向の位置決めがなされる。
このように床パン１０Ａ，２０Ａ同士を連結した状態では、上記した防水パッキン７が、連結側面１７，２７間に床パン奥行方向の略全長に亘って形成された隙間の底部を形成するように隙間の略全長に亘って配される。
【００３６】
そして、この防水パッキン７上に、上記のようにシーリング材８を充填するようにしてもよい。この際、シーリング材８を、隙間の幅方向両側の各床パン１０Ａ，２０Ａの連結側端部１４，２４の上面に、適宜、マスキングテープ（養生テープ）を隙間の全長に亘って貼着した状態で充填するようにしてもよい。
また、各床パン１０Ａ，２０Ａの連結側端部１４，２４の隙間長手方向に沿う両端部に連なるように設けられた壁載置部１２ａ，２２ａから上方に突出する壁立上部１２，２２の上側部位間の隙間にも一連状にシーリング材８を充填するようにしてもよい。この場合は、壁立上部１２，２２の上側部位の裏面（外側に向く面）に、これらの間の隙間を塞ぐように、アルミテープ等のテープを貼着するようにしてもよい。
【００３７】
なお、上記のように、シーリング材８を連結側面１７，２７間に充填し、さらに、浴槽床パン１０Ａ及び洗場床パン２０Ａの各連結側端部１４，２４の上面に跨るようにシーリング材８を覆う防水テープを隙間の略全長に亘って貼着した構造としてもよい。このような防水テープとしては、薄いシート状（フィルム状）とされ、ポリエチレンやＥＶＡ（エチレンー酢酸ビニル共重合樹脂）等の合成樹脂系材料からなる基材の裏面に粘着剤が塗布された粘着テープ等としてもよい。
また、各床パン１０Ａ，２０Ａの連結側端部１４，２４の上面及びシーリング材８の上面、並びに堰部の幅方向両側部となる各床パン１０Ａ，２０Ａの立上部１３，２３の少なくとも上側部位の内側面（表面）を覆うカバーを設けた構造としてもよい。
【００３８】
また、上記施工手順は、一例に過ぎず、適宜の手順で施工するようにしてもよい。
また、上記した例では、洗場床パン２０Ａに固定された連結部材９に対して、浴槽床パン１０Ａの立上部１３を止具１９によって締結し、浴槽床パン１０Ａと洗場床パン２０Ａとを連結する構造としたが、このような態様に限られない。例えば、このような態様に代えて、浴槽床パン１０Ａに固定された連結部材９に対して、洗場床パン２０Ａの連結側部としての立上部２３を止具１９によって締結し、浴槽床パン１０Ａと洗場床パン２０Ａとを連結する構造としてもよい。分割された浴槽床パン１０Ａと洗場床パン２０Ａとを連結する構造としては、その他、種々の連結構造の採用が可能である。
【００３９】
本実施形態に係る浴室床パン１は、上述のような構成としたことで、一体成形の床パンと同様に成形可能で分割可能でありながらも、分割された床パン１０Ａ，２０Ａの連結部における防水性を向上させることができる。
つまり、上記のように、一体成形された浴室床パン１を、浴槽床パン１０Ａと洗場床パン２０Ａとに分割することで、一体化された床パンと比べて小型化を図ることができ、取り扱い性を向上させることができる。これにより、特に搬入口が狭小となる傾向のある集合住宅等のリフォーム用としても好適なものとなる。
【００４０】
また、一体成形された浴槽側の床部１０と洗場側の床部２０との境界部（天部）４に、この境界部４の全長に亘って延び、かつ両側部位よりも厚さ寸法を大きくするように上下方向に沿って突出する突部６を設けた構成としている。従って、突部６を浴槽側と洗場側とに分断するように当該浴室床パン１を切断して浴槽床パン１０Ａと洗場床パン２０Ａとに分割することができる。これにより、一体の浴室床パン１とこれを分割した浴槽床パン１０Ａ及び洗場床パン２０Ａを備えた分割床パン１Ａとを、共通の金型を用いて成形することができ、例えば、各床パンを個別に成形するようなものと比べて、成形性を向上させることができる。
また、突部６の部位で浴槽側と洗場側とに分割することで、浴槽床パン１０Ａ及び洗場床パン２０Ａの互いに対向する連結側面１７，２７の上下寸法を効果的に大きくすることができる。これにより、これら連結側面１７，２７間に、防水パッキン７やシーリング材８等の種々の防水部材を設け易くなり、防水性を向上させることができる。また、突部６をその両側部位よりも厚さ寸法を大きくすることで設けているので、例えば、境界部近傍部位の全体の厚さ寸法を大きくしたようなものと比べて、軽量化を図ることができる。
【００４１】
また、本実施形態では、突部６を、境界部（天部）４の上面側及び下面側のうちの一方側のみに突出するように設け、他方側に、突部６を浴槽側と洗場側とに分断するように当該浴室床パン１を切断する際の目印４ａを設けた構成としている。従って、切断する際における作業性を向上させることができる。なお、このような目印４ａを設けないようにしてもよい。
また、本実施形態では、浴室床パン１を、各床部１０，２０の底部１１，２１から立ち上がる境界部としての堰部３の天部４において分割される構成としている。従って、分割された床パン１０Ａ，２０Ａ同士の継目部が各床パン１０Ａ，２０Ａの底部１１，２１から立ち上がった部位に形成されることとなり、継目部における防水性をより向上させることができる。なお、このような態様に代えて、他の部位において分割される構成としてもよい。
【００４２】
また、本実施形態では、突部６を境界部４の下面側のみに設けた構成としている。従って、例えば、突部６を上面側に設けたようなものと比べて、境界部４の平坦な上面を幅広にすることができる。これにより、分割された床パン１０Ａ，２０Ａ同士の連結側面１７，２７間にシーリング材８を充填した後に、例えば、防水テープを貼着する際における貼着性を向上させることができ、防水性をより向上させることができる。
また、本実施形態では、突部６を横断するように、境界部としての天部４の長手方向に厚さ方向を沿わせた複数の縦リブ５を設けた構成としている。従って、切断されて分割された各床パン１０Ａ，２０Ａの突部１６，２６を、これら縦リブ５が分割されて形成された各床パン１０Ａ，２０Ａの凸片部１５，２５によって補強することができる。なお、このような縦リブ５を設けないようにしてもよい。また、突部６を、境界部４の下面側のみに設けた態様に代えて、境界部４の上面側のみに設けた態様としてもよく、または、境界部４の上下両側に設けた態様としてもよい。
【００４３】
また、本実施形態に係る分割床パンの製造方法は、上記構成とされた浴室床パン１の突部６を浴槽側と洗場側とに分断するように切断して浴槽床パン１０Ａと洗場床パン２０Ａとに分割する構成としている。従って、上記同様、これら分割された床パン１０Ａ，２０Ａ同士の連結側面１７，２７の上下寸法を比較的に大きくすることが可能で防水性の向上が可能な分割床パン１Ａを、一体成形の浴室床パン１と共通の金型を用いて製造することができる。これにより、製造効率を向上させることができる。
【００４４】
また、本実施形態に係る分割床パンの防水構造は、浴槽床パン１０Ａ及び洗場床パン２０Ａの互いに対向する連結側面１７，２７間に防水パッキン７を介在させ、この防水パッキン７上にシーリング材８を充填した構造としている。従って、上記のように、上下に比較的に大きくなる、床パン１０Ａ，２０Ａ同士の連結側面１７，２７間に防水パッキン７とシーリング材８とを効果的に設けることができ、防水性を向上させることができる。なお、本実施形態に係る浴室床パン１を分割した分割床パン１Ａの防水構造としては、このような構造に限られず、その他、種々の複数構造の防水構造を構築することが可能である。
【符号の説明】
【００４５】
１        浴室床パン
１Ａ      分割床パン
４        堰部の天部（境界部）
４ａ      目印溝（目印）
６        突部
７        防水パッキン
８        シーリング材
１０      浴槽側の床部
１０Ａ    浴槽床パン
１７      連結側面
２０      洗場側の床部
２０Ａ    洗場床パン
２７      連結側面
【図１】
2015169034.tif 000003
【図２】
2015169034.tif 000004
【図３】
2015169034.tif 000005
【図４】
2015169034.tif 000006